(57)【要約】      （修正有）【課題】敷設予定領域の敷設長さ短くなった場合に、残存敷設長さに合わせてケーブルトラフの両端間で連結部を形成することができるケーブルトラフを提供すること。【解決手段】相互に連結しながら敷設される断面ほぼＵ字状の合成樹脂製トラフ１であって、トラフ長さ方向一端部側に両内側面の端部に係止片２０が形成された雌形連結部２を有し、トラフ長さ方向他端部側に両外側面の端部に前記係止片２０と対応する係止突起３０が形成され前記雌形連結部２へ落し込み状に案内される雄形連結部３を有し、少なくとも前記雄形連結部３を除く部分の底面両側部に長さ方向に沿う脚条部４を有し、両外側面の長さ方向の同位置へ所定間隔に縦リブ５を有し、前記いずれかの縦リブ５を含む位置において長さ方向と直交する状態に切断したときに、当該切断部における前記脚条部４を除く切断面の両側部が雌型連結部２の係止片２０に係止可能な寸法を有している。【選択図】図１
2007300742.tif 000002
【特許請求の範囲】
【請求項１】
相互に連結しながら敷設される断面ほぼＵ字状の合成樹脂製トラフであって、
トラフ長さ方向一端部側に両内側面の端部に係止片が形成された雌形連結部を有し、
トラフ長さ方向他端部側に両外側面の端部に前記係止片と対応する係止突起が形成され前記雌形連結部へ落し込み状に案内される雄形連結部を有し、
少なくとも前記雄形連結部を除く部分の底面両側部に長さ方向に沿う脚条部を有し、
両外側面の長さ方向の同位置へ所定間隔に縦リブを有し、
前記いずれかの縦リブを含む位置において長さ方向と直交する状態に切断したときに、当該切断部における前記脚条部を除く切断面の両側部が雌型連結部の係止片に係止可能な寸法を有していることを特徴とするケーブルトラフ。
【請求項２】
前記縦リブ相互間のトラフ外側面は前記雄形連結部の外側面の延長面とほぼ等しく、
前記縦リブの少なくとも前記雄形連結部の外側面と対応する高さ部分の側方への突出量は前記係止突起とほぼ等しく、
少なくとも前記縦リブの位置を含むトラフ長さ方向前後の所定領域における底面は前記雄形連結部の底面とほぼ同レベルである、
ことを特徴とする請求項1に記載のケーブルトラフ。
【請求項３】
隣合う縦リブ相互のほぼ中間に位置する状態で前記各脚条部と連続しかつ長さ方向と直交する底面リブが形成され、各底面リブ相互間の底面は前記雄形連結部の底面とほぼ同じレベルであることを特徴とする、請求項１または請求項２に記載のケーブルトラフ。
【請求項４】
前記底面リブ相互間の底面の両側部には、対応する脚条部の内側の面と交差する状態に底面の内側寄り位置から側方へ先上り状に傾斜したテーパ面を有する下向きの溝が形成されていることを特徴とする、請求項３に記載のケーブルトラフ。
【請求項５】
相互に連結しながら敷設される断面ほぼＵ字状の合成樹脂製トラフであって、
トラフ長さ方向一端部側に両内側面の端部に係止片が形成された雌形連結部を有し、
トラフ長さ方向他端部側に両外側面の端部に前記係止片と対応する係止突起が形成され前記雌形連結部へ落し込み状に案内される雄形連結部を有し、
少なくとも前記雄形連結部を除く部分の底面両側部に長さ方向に沿う脚条部を有し、
両外側面の長さ方向の同位置へ所定間隔に縦リブを有し、
前記いずれかの縦リブを含む位置において長さ方向と直交する状態に切断したときに、当該切断部における切断面の両側部が雌型連結部の係止片に係止可能な寸法を有していることを特徴とするケーブルトラフ。
【請求項６】
請求項１〜４のいずれかに記載のケーブルトラフを、両側部の長さ方向同位置にある対の縦リブの前記雄形連結部側の端部又は当該端部から前記雄形連結部側へやや偏った部分において長さ方向と直交する状態に切断するとともに、当該対の縦リブの下部を含む各脚条部を前記雌形連結部の方向へ所要長さ切除することにより、隣接するケーブルトラフの雌形連結部へ連結される雄形連結部を形成することを特徴とする、ケーブルトラフの両端間における連結部形成方法。
【発明の詳細な説明】
【技術分野】
【０００１】
本発明は、ケーブルトラフ及び当該ケーブルトラフの両端間における連結部形成方法に関するものである。
【背景技術】
【０００２】
ケーブルトラフには、敷設の際に隣合うもの相互を連結しながら敷設する形態のものが多い。
特に合成樹脂製（廃材の利用等）のケーブルトラフでは、一端部に雌形連結部を有するとともに他端部に前記雌形連結部と対応する雄形連結部を有し、敷設時に隣のトラフの雌形連結部へ雄形連結部を落し込む要領で長さ方向に抜け止め状に連結されるものが市販されている。
【０００３】
ケーブルトラフを敷設する場合、一定長さのケーブルトラフを一連に連結しながら敷設することができる敷設長さと、ケーブルトラフ相互の連結部のラップ長さを除くトラフ長さの倍数とは一致しない場合がはるかに多い。勿論、ケーブルトラフ相互の連結部のラップ長さは多少調整できるように設計されてはいるが、その調整量ではトラフ長さ（連結のためのラップ量を除いた実長）と残存未敷設長さとの相違を吸収できない場合が少なくない。
【０００４】
前記のような場合に、長さの異なる多種のトラフを準備するのでは多種の成形金型を必要として不経済であるために、これまでは短尺の長さ調整用トラフを用意し、この長さ調整用トラフを用いると同時に、さらに長さの微調整として、定尺トラフの連結ラップ量を複数個に渡って調整することも併用して最終的にトラフの敷設長さを調整していた。このような調整法を取る場合には、敷設長さの寸法目測や計測を誤るなどし、改めて長さ調整用トラフを準備したり、再度既敷設の数個のトラフにおける勘合部のラップ量を調整して敷設し直すなどの必要があった。
【発明の開示】
【発明が解決しようとする課題】
【０００５】
本発明の目的は、ケーブルトラフの敷設時に未敷設長さが当該トラフの長さより短くなった場合に、当該未敷設長さに合わせてケーブルトラフの両端間で連結部を比較的容易に形成することができるケーブルトラフを提供することにある。
本発明の他の目的は、ケーブルトラフの両端間の所定位置を切断して容易に連結部を形成し、作業性よく未敷設長さに合わせてトラフを敷設することができる連結部の形成方法を提供することにある。
【課題を解決するための手段】
【０００６】
本発明に係る第１のケーブルトラフは、前記課題を解決するため、相互に連結しながら敷設される断面ほぼＵ字状の合成樹脂製トラフであって、トラフ長さ方向一端部側に両内側面の端部に係止片が形成された雌形連結部を有し、トラフ長さ方向他端部側に両外側面の端部に前記係止片と対応する係止突起が形成され前記雌形連結部へ落し込み状に案内される雄形連結部を有し、少なくとも前記雄形連結部を除く部分の底面両側部に長さ方向に沿う脚条部を有し、両外側面の長さ方向の同位置へ所定間隔に縦リブを有し、前記いずれかの縦リブを含む位置において長さ方向と直交する状態に切断したときに、当該切断部における前記脚条部を除く切断面の両側部が雌型連結部の係止片に係止可能な寸法を有していることを最も主要な特徴としている。
【０００７】
本発明に係る第２のケーブルトラフは、前記課題を解決するため、相互に連結しながら敷設される断面ほぼＵ字状の合成樹脂製トラフであって、トラフ長さ方向一端部側に両内側面の端部に係止片が形成された雌形連結部を有し、トラフ長さ方向他端部側に両外側面の端部に前記係止片と対応する係止突起が形成され前記雌形連結部へ落し込み状に案内される雄形連結部を有し、少なくとも前記雄形連結部を除く部分の底面両側部に長さ方向に沿う脚条部を有し、両外側面の長さ方向の同位置へ所定間隔に縦リブを有し、前記いずれかの縦リブを含む位置において長さ方向と直交する状態に切断したときに、当該切断部における切断面の両側部が雌型連結部の係止片に係止可能な寸法を有していることを最も主要な特徴としている。
【０００８】
本発明に係るケーブルトラフの両端間における連結部の形成方法は、前記本発明に係る第１のケーブルトラフを、両側部の長さ方向同位置にある対の縦リブの前記雄形連結部側の端部又は当該端部から前記雄形連結部側へやや偏った部分において長さ方向と直交状に切断するとともに、当該対の縦リブの下部を含む各脚条部を前記雌形連結部の方向へ所要長さ切除することにより、隣接するケーブルトラフの雌形連結部へ連結される雄形連結部を形成することを最も主用な特徴としている。
【発明の効果】
【０００９】
本発明に係る第１のケーブルトラフによれば、前記のように構成されているから、長さ方向同位置にあるいずれかの対の縦リブの前記雄形連結部側端部又は当該端部から前記雄形連結部側へやや偏った部分においてトラフ長さ方向と直交状に切断すると、当該切断部における前記対の縦リブの下部を含む各脚条部以外の部分は、その切断端面を含む形状及び寸法が当該ケーブルトラフの雄形連結部とほぼ同様なものとなる。
したがって、当該対の縦リブの下部を含む各脚条部を前記雌形連結部の方向へ所要長さ切除することにより、直前に敷設された隣のケーブルトラフの雌形連結部へ連結し得る雄形連結部が形成される。
このときのケーブルトラフの切断は、長さ方向と直交する方向の切断と脚条部の長さ方向への短い長さの切断であり、刃物との接触長さが小さいので、例えば手鋸などを使用して比較的容易かつ簡単に切断し、連結部を形成することができる。
【００１０】
本発明に係る第２のケーブルトラフによれば、長さ方向同位置にあるいずれかの対の縦リブの前記雄形連結部側端部又は当該端部から前記雄形連結部側へやや偏った部分においてトラフ長さ方向と直交状に切断すると、当該切断部における切断端面を含む形状及び寸法が当該ケーブルトラフの雄形連結部とほぼ同様なものとなる。
したがって、前記切断により直前に敷設された隣のケーブルトラフの雌形連結部へ連結し得る雄形連結部が形成される。
このときのケーブルトラフの切断は、長さ方向と直交する方向の切断であり、刃物との接触長さが小さいので、例えば手鋸などを使用して比較的容易かつ簡単に切断し、連結部を形成することができる。
【００１１】
本発明に係るケーブルトラフの両端間における連結部の形成方法によれば、ケーブルトラフの敷設において未敷設長さが当該ケーブルトラフの長さより短いときに、雌形連結部側の端部から当該未敷設長さに見合う長さ位置にある縦リブを選び、当該縦リブの位置でケーブルトラフを前記のように切断することにより、残存未敷設長さに合わせてケーブルトラフを作業性よく敷設することができる。
【発明を実施するための最良の形態】
【００１２】
図１は本発明に係るケーブルトラフの一実施形態を示す図で、（ａ）は平面図、（ｂ）は正面図、（ｃ）は右側面図、（ｄ）は左側面図である。また、図２は図１のケーブルトラフの長さ方向に沿う断面図、図３は（ａ）図の矢印Ａ−Ａに沿う断面図、図４はケーブルトラフを（ａ）図の矢印Ｂ−Ｂ方向に切断したときの断面図、図５の（ｅ）図は図４のケーブルトラフの各脚条部を矢印Ｃ−Ｃ方向及びＤ−Ｄ方向に沿って所定長さ切断除去して、両端間に雄形連結部を形成したケーブルトラフの部分平面図、（ｆ）図は両端間に別形態の連結部を形成したケーブルトラフの部分平面図である。
【００１３】
この実施形態のケーブルトラフ１は、全体として断面ほぼＵ字状に成形されており、プラスチック製品の廃材を利用した合成樹脂を用いている。
ケーブルトラフ１は隣合うもの相互を連結しながら敷設されるのに適するように構成されており、したがって、一端部には雌形連結部２が形成され、他端部には前記雌形連結部２と適合する形態の雄形連結部３が形成されている。
【００１４】
雌形連結部２は、深さが他の部分よりも深い段部でかつ他の部分よりも内幅が広くなるように形成されており、その端部両内側面には内側へ突出した係止片２０，２０が形成されている。
他方方雄形連結部３は、（ａ）図及び図２のように敷設時に隣接するケーブルトラフ１の雌形連結部２へ上方から落し込み上に案内し得るように、雌形連結部２に対し適当なクリアランスをもって適合するように形成され、その端部両外側面には雌形連結部２の係止片２０，２０に対して長さ方向へ抜け止め状に係止される係止突起３０，３０が形成されている。
【００１５】
ケーブルトラフ１の前記雄形連結部３を除く部分の底面両側部には、フランジ４０，４０をそれぞれ含む脚条部４，４が長さ方向に沿って形成されている。したがって、各フランジ４０は対応する脚条部４の一部を構成している。
【００１６】
底面には、隣合う縦リブ相互のほぼ中間に位置する状態で前記各脚条部４，４と連続しかつ長さ方向と直交する底面リブ６が形成され、各底面リブ６は、その下端レベルがトラフ１の見かけの底面である脚条部４の底面レベルよりもやや上位になるように形成されている。尚、この底面リブ６は、トラフの強度を高めるため設けることが望ましいが、場合により設けなくても良い。
【００１７】
両外側面の長さ方向同位置には一定の間隔に多数の縦リブ５が形成され、各縦リブ５の下方部分はそれらの下端部が前記フランジ４０の側縁まで達するように傾斜状に広がっている。前記縦リブ５相互間の外側面は、前記雄形連結部３外側面の延長面とほぼ等しく、各縦リブ５の前記雄形連結部３の外側面と対応する部分の側方への突出量は、前記係止突起３０とほぼ等しくなるように設定されている。これにより、雌形連結部２と雄形連結部３の勘合がより強固で安定したものとすることができる。
【００１８】
前記縦リブ５の位置を含む長さ方向前後の所定領域（この実施形態では、底面リブ６相互の間）における底面は、前記雄形連結部３の底面レベルと等しくなるように構成されている。
なお各符号７は、ケーブルトラフ１の全体の見かけの幅を規定する補強を兼ねた幅規定リブであり、その作用上ケーブルトラフ１の両端部寄り部分の両側部に形成されている。
【００１９】
この実施形態において、底面リブ６相互間の底面の両側部には、対応する脚条部４の内側の垂直面と交差する状態に底面の内側寄り位置から側方へ先上り状に逆傾斜したテーパー面４１ａを有する下向きの溝４１がそれぞれ形成されている。
前記溝４１のテーパー面４１ａの傾斜は、図１（ｄ）図における雄形連結部３の面取りのテーパー面３１とほぼ同じである。
【００２０】
この実施形態においては、雌形連結部２の内側の長さと雄形連結部３の外側の長さは、雄形連結部３を隣のケーブルトラフ１の雌形連結部２へ上方から落し込み上に案内して連結するとき、それらのラップ長さを数ｃｍの範囲で調節することができる程度の長さにしてある。
また、雌形連結部２の内幅と雄形連結部３における係止突起３０，３０の先端部相互が形成する幅との差は、両者をラップさせて連結したとき、一方のケーブルトラフ１に対して他方のケーブルトラフを所定量屈曲した状態で連結できる程度に設定してある。
【００２１】
以上の実施形態のケーブルトラフを用いて両端間に連結部を形成する方法を、当該ケーブルトラフの作用とともに以下説明する。
例えば図１（ａ）図のケーブルトラフ１において、所望の対の縦リブ５，５の雄形連結部３側の端部に沿って、長さ方向と直交する状態に手鋸等により切断する。その切断部は図４のように表れる。
【００２２】
前記のように、ケーブルトラフ１の各縦リブ５相互間の外側面は雄形連結部３の外側面の延長面とほぼ等しく、底面リブ６相互間の底面も雄形連結部３の底面の延長面とほぼ等しい（両者のレベルがほぼ等しい）ため、前記の切断された状態の切断面は、当該切断面の縦リブ５の下部を含む脚条部４の下端部分を除いたものとほぼ同じになる（図４）。
この状態で、当該切断部分における対の縦リブ５の下部を含む各脚条部４を、前記溝４１のテーパー面４１ａに沿って前記雌形連結部２の方向へ所要長さ切除することにより、図５の（ｅ）図のように隣接するケーブルトラフの雌形連結部２へ連結し得る雄形連結部３ａを形成することができる。
【００２３】
前記のように形成された図５の（ｅ）図の雄形連結部３ａにおいて、各縦リブ５の前記雄形連結部３の外側の垂直面と対応する部分の側方への突出量は、前記係止突起３０とほぼ等しくなるように設定されているので、前記のように当該部分の縦リブ５の下部を含む脚条部４を切除すると、当該各縦リブ５により係止突起３０ａが形成される。
【００２４】
前記実施形態のケーブルトラフによれば、両端間に連結部を形成するときの切断は、長さ方向と直交する方向の切断と脚条部の長さ方向への短い長さの切断であり、刃物との接触長さが小さいので、手鋸などを使用して比較的容易かつ簡単に切断し、連結部を形成することができる。
特に、底面両側の脚条部４の内側部分へ当該脚条部４の内側面と相対するテーパー面４１ａを有する溝４１を形成したので、脚条部４の下部部分を前記テーパー面４１ａ沿って切除することができる。したがって、切除作業に先だって切断基準線を描く等の手間が省けるとともに、手元が見え難い夜間作業等の際にも容易に切除作業を行うことができる。
【００２５】
また前記連結部の形成方法によれば、ケーブルトラフ１を連結しつつ敷設する際に、一連に敷設可能な長さ領域でトラフ１の長さ以下の長さの未敷設の残存長さが生じた場合、その残存長さに見合う部分でトラフ１を切断して容易にかつ施工性よく長さ調整を行うことができる。
【００２６】
雌形連結部２と雄形連結部３の連結時のラップ長さは、所定の範囲で調節できるようになっているので、未敷設の残存長さと縦リブ５相互間の間隔の大きさとが合わないときは、例えば図５の（ｆ）図のように、当該対の縦リブ５，５よりもやや雄形連結部３寄り位置を切断して雄形連結部３ａを形成して調整することができる。
さらに、雌形連結部２と雄形連結部３との連結時のラップ長さは所定の範囲で調節できるようになっているので、当該調節によっても縦リブ５相互の間隔と未敷設の残存長さとの調整を図ることができる。
【００２７】
第２実施形態
図６は本発明に係るケーブルトラフの第２実施形態を示す図で、（ｇ）図はケーブルトラフの平面図、（ｈ）図は（ｇ）図の矢印Ｅ−Ｅに沿う断面図である。
この実施形態では、ケーブルトラフ１の両側の同じ位置に形成されている各縦リブ５は、雄形連結部３の係止突起３０とほぼ均一な側方への突出量と縦方向長さを有している。
また、フランジ４０を含む底部両側の脚条部４は、縦リブ５の位置を含むトラフ長さ方向前後の所定領域以外の部分にのみ形成されており、したがって、フランジ４０を含む底部両側の脚条部４は間欠的に形成されている。
【００２８】
間欠的に形成されているフランジ４０の部分においては、トラフの両側面に補強専用縦リブ８が形成されており、各補強専用縦リブ８は、各縦リブ５のほぼ中間に位置していて、第１実施形態のケーブルトラフ１における縦リブ５と同じサイズ及び形状である。
底面リブ６は前記各補強専用縦リブ８とほぼ対応する位置に形成されている。
各縦リブ５と補強専用縦リブ８相互間の外側面（すなわちトラフ１の外側面）は雄形連結部３の外側面の延長面とほぼ等しく、底面リブ６相互間の底面も雄形連結部３の底面の延長面とほぼ等し（両者のレベルがほぼ等しい）くなるように設定してある。すなわち、
前記いずれかの縦リブを含む位置において長さ方向と直交する状態に切断したとき、当該切断部における切断面の両側部が雌型連結部の係止片に係止可能な寸法を有している。
この実施形態におけるケーブルトラフ１の他部分の構成は、前記第１実施形態のトラフとほぼ同様である。
【００２９】
以上の実施形態のケーブルトラフを用いて両端間に連結部を形成する方法を、当該ケーブルトラフの作用とともに以下説明する。
例えば図６（ｇ）図のケーブルトラフ１において、所望の対の縦リブ５，５の雄形連結部３側の端部又は当該端部よりも雄形連結部３方向へやや偏った位置で、当該トラフ１を長さ方向と直交する状態に手鋸等により切断する。その切断部は（ｈ）図で示すようにように表れる。
【００３０】
前記のように、ケーブルトラフ１の各縦リブ５相互間の外側面は雄形連結部３の外側面の延長面とほぼ等しく、底面リブ６相互間の底面も雄形連結部３の底面の延長面とほぼ等しい（両者のレベルがほぼ等しい）ため、前記の切断部における雌形連結部２方向の部分は、端面形状を含む形状及び寸法は雄形連結部３とほぼ同じになる。
したがって、前記のような切断により隣接するケーブルトラフの雌形連結部２へ連結し得る雄形連結部３ａを極めて容易に形成することができる。
【００３１】
前記連結部の形成方法によれば、ケーブルトラフ１を連結しつつ敷設する際に、一連に敷設可能な長さ領域でトラフ１の長さ以下の長さの未敷設の残存長さが生じた場合、その残存長さに見合う部分でトラフ１を切断して極めて容易にかつ施工性よく長さ調整を行うことができる。
【図面の簡単な説明】
【００３２】
【図１】本発明に係るケーブルトラフの一実施形態を示す図で、（ａ）は平面図、（ｂ）は正面図、（ｃ）は右側面図、（ｄ）は左側面図である。
【図２】図１のケーブルトラフの長さ方向に沿う断面図である。
【図３】図１（ａ）図の矢印Ａ−Ａに沿う断面図である。
【図４】トラフの両端間へ連結部を形成するためトラフを図１（ａ）図の矢印Ｂ−Ｂ方向に切断したときの断面図である。
【図５】ケーブルトラフの両端間の所望の位置へ切断により雄形連結部を形成した状態の図で、（ｅ）図は図４の状態から雄形連結部を形成したトラフの部分平面図、（ｆ）図はトラフ両端間へ別な形態の雄形連結部を形成した部分平面図である。
【図６】本発明に係るケーブルトラフの第２実施形態を示す図で、（ｇ）図はケーブルトラフの平面図、（ｈ）図は（ｇ）図の矢印Ｅ−Ｅに沿う断面図である。
【符号の説明】
【００３３】
１  ケーブルトラフ
２  雌形連結部
２０  係止片
３，３ａ  雄形連結部
３０，３０ａ  係止突起
３１  テーパー面
４  脚条部
４０  フランジ
４１  溝
４１ａ  テーパー面
５  縦リブ
６  底面リブ
７  幅規定リブ
８  補強専用縦リブ
【図１】
2007300742.tif 000003
【図２】
2007300742.tif 000004
【図３】
2007300742.tif 000005
【図４】
2007300742.tif 000006
【図５】
2007300742.tif 000007
【図６】
2007300742.tif 000008